(57)【要約】【課題】タッチスクリーン式の携帯電話や携帯音楽プレーヤで小説などを読む際、行や列を読み違えたり、読み位置を見失ったりしないようにする。【解決手段】書籍表示部１に電子書籍の文書１１と文書１１の配列に沿って自動あるいは手動で移動するカーソル１２を表示する。カーソル１２は、マウスポインタのような矢印や傍線で示し、それを文字に当てて現在の読み位置を指定する。また、移動することにより文書を読むときの注視目線を行または列方向に案内する。【選択図】図１
2010009104.tif 000002
【特許請求の範囲】
【請求項１】
タッチパネル操作可能な電子書籍の表示画面において、
現在の読み位置を特定するカーソルを表示するカーソル表示手段と、
カーソルを移動して注視目線を文字の配列方向に案内するカーソル移動手段と、
を備えることを特徴とする電子書籍ビューワ。
【請求項２】
前記カーソル移動手段に、
カーソルが一定の時間間隔で自動的に移動する自動移動手段と、
タッチパネル操作に応じて移動する手動移動手段と、
を備えることを特徴とする請求項１記載の電子書籍ビューワ。
【請求項３】
前記自動移動手段に、
カーソルの移動スピードを調節するスピード調節手段を備えることを特徴とする請求項２記載の電子書籍ビューワ。
【請求項４】
前記手動移動手段に、
カーソルの移動スピードをタッチパネルの操作スピードに応じて制御するスピード制御手段を備えることを特徴とする請求項２記載の電子書籍ビューワ。
【請求項５】
前記カーソルを矢印、傍線、反転表示のいずれかで表示することを特徴とする請求項１記載の電子書籍ビューワ。
【請求項６】
前記タッチパネルに再生／一時停止ボタンが表示され、
これをタップするとカーソルの自動移動が開始し、
次にタップするとカーソルの自動移動が停止することを特徴とする請求項１記載の電子書籍ビューワ。
【請求項７】
前記タッチパネルにカーソル移動ボタンが表示され、
これをなでると毎回カーソルが行（または列）の始めから終わりまで移動し、
行（または列）の終わりで改行（または列）がなされることを特徴とする請求項１記載の電子書籍ビューワ。
【請求項８】
前記カーソルがページの終わりに到達すると自動的に改ページがなされ、
次のページの先頭にカーソルが表示されることを特徴とする請求項１記載の電子書籍ビューワ。
【請求項９】
前記タッチパネルにカーソル移動ボタンが表示され、
これをタップするとカーソルが表示されなくなることを特徴とする請求項１記載の電子書籍ビューワ。
【発明の詳細な説明】
【技術分野】
【０００１】
本発明は、斬新な操作感が得られるタッチスクリーン式の携帯電話や携帯音楽プレーヤに書籍データを転送して小説などが読めるようにした電子書籍ビューワに関する。
【背景技術】
【０００２】
近年、実際の書籍のページをめくりながら読書しているような操作感が得られるタッチスクリーン式の携帯電話や携帯音楽プレーヤに、書籍データを転送して小説などが読めるようにした電子書籍ビューワが普及してきている。
書籍データは、「青空文庫」など著作権切れ、あるいは作者が公開を許諾している小説の電子データをインターネット上に公開しているサイトからダウンロードできる。
【０００３】
ところが、これらの電子書籍ビューワは小さな画面に多くの文字を表示するため、行や列の読み違えが頻繁に起こる。
また、タッチスクリーンを操作してページのスクロールや文字の拡大・縮小が容易にできるため、読み位置を見失うことが頻繁に起こる。
【発明の開示】
【発明が解決しようとする課題】
【０００４】
解決しようとする問題点は以上のような点であり、本発明は、タッチスクリーン式の携帯電話や携帯音楽プレーヤで小説などを読む際、行や列を読み違えたり、読み位置を見失ったりしないようにすることを目的になされたものである。
【課題を解決するための手段】
【０００５】
そのため本発明は、タッチパネル操作可能な電子書籍の表示画面において、現在の読み位置を特定するカーソルを表示するカーソル表示手段と、カーソルを移動して注視目線を文字の配列方向に案内するカーソル移動手段とを備えることを最も主要な特徴とする。
【発明の効果】
【０００６】
本発明は、電子書籍の表示画面にカーソルを表示して現在の読み位置を特定するので、読書の途中でページのスクロールや文字の拡大・縮小をしても読み位置を見失うことがなくなる。また、カーソルを移動して注視目線を文字の配列方向に案内するので、行や列を読み違えることもなくなる。
【発明を実施するための最良の形態】
【０００７】
以下、本発明の実施の形態について説明する。
【０００８】
図１に、本発明を実施した電子書籍ビューワの画面レイアウトを示す。
図は画面レイアウトの一例であり、これにより本発明の画面、操作方法を限定するものではない。
電子辞書ビューワは、画像を表示できる携帯電話や携帯音楽プレーヤにサードパーティが開発した独自アプリをインストールして実現する。
電子書籍は、テキスト、もしくはテキストに組版情報を付加したデータ形式で作成されたコンテンツであり、それをビューワに転送後、成形して表示する。
【０００９】
ビューワは、大容量のフラッシュメモリを内蔵し、「マルチタッチ」と呼ばれる全面タッチパネルを採用している。
全面タッチパネルは一般のタッチパネルとは異なり、画面のタッチ以外に画面をなでる速度と方向を認識でき、マウスのクリックに相当するタップ（指で軽く１回叩く操作）、ダブルクリックに相当するダブルタップ（2回叩く操作）、ドラッグ（指をずらせて表示内容を移動する操作）、フリック（指で軽く弾いて画面をスクロールする操作）、ピンチアウト（2本の指を広げて表示を拡大する操作）、ピンチイン（2本の指を狭めて表示を縮小する操作）などの操作を可能にしている。
また、内蔵の加速度センサで縦横を検知でき、ビューワの持ち方（縦持ち・横持ち）によって画面の表示方向を切り替えることもできる。
【００１０】
画面は、書籍表示部１を中心に、その上部にページ表示部２、下部にコントローラ３を配置し、書籍表示部１には電子書籍の文書１１と、文書１１の配列に沿って自動あるいは手動で移動するカーソル１２を表示する。
文書１１は、通常１ページ分を横書きまたは縦書きで表示する。
あるいは、図３に示すように、ビューワを縦持ちしたときは１ページ分を表示し、横持ちしたときは見開きで２ページ分を表示するようにしてもよい。
書籍表示部１に１ページ分を表示できない場合は、ビューワの基本操作として画面を指でフリックして文書１１の表示内容を上下左右に動かすことができる。
【００１１】
カーソル１２は、マウスポインタのような矢印や傍線で示し、それを文字に当てて現在の読み位置を指定する。また、移動することにより文書を読むときの注視目線を行または列方向に案内する。
カーソル１２の表示は、矢印や傍線の代わりに文字や文字列を反転表示させてもよい。
あるいは、文字や文字列だけでなく行または列全体を反転表示させてもよい。
【００１２】
カーソル１２の移動は、小説などを朗読、録音したオーディオブックの再生と連動させてもよい。これによりカーソル１２の移動に合わせて正しい発音が聴けるので、外国語講座などのテキスト本を読む際に有効である。また、目だけでなく耳からも情報が入るので印象が強まり、単に受験用などのテキスト本を黙読するより学習効果が高まる。
【００１３】
ページ表示部２は、ページバー２１と左右のページ枠２２、２３を表示する。
ページバー２１は、現在表示されているページ位置を視覚的に示すもので、ポイントａを指でスライドすると高速に改ページして現在のページ位置を変えることができる。
左右のページ枠２２、２３には現在のページ番号と、全体のページ数が表示される。
【００１４】
コントローラ３は、再生／一時停止ボタン３１を中心に左右の巻戻しボタン３２と早送りボタン３３、その下部にスピード調節バー３４を表示する。
また、両端にブックマークアイコン３５とカーソル移動ボタン３６を表示する。
【００１５】
再生／一時停止ボタン３１は、指でタップするとカーソル１２の自動移動が開始し、次に指でタップするとカーソル１２の自動移動が停止する。
自動移動するカーソル１２がページの終わりに到達すると自動的に改ページがなされ、カーソル１２は次のページの先頭に表示される。
巻戻しボタン３２と早送りボタン３３は、改ページを操作するもので、指で１回タップすると前後のページが表示され、指で２回続けてタップすると前後の章が表示される。
また、長押しすると高速でページの巻戻し、早送りがなされる。
スピード調節バー３４は、ポイントａを指でスライドすると自動移動するカーソル１２の移動スピードを調節できる。
【００１６】
カーソル移動ボタン３６は、図４に示すように、指でなでると速度に比例したスピードでカーソル１２が移動する。
カーソル１２は、指で１回なでる毎に行（または列）の始めから終わりまで移動し、行（または列）の終わりで改行（または列）がなされる。
また、自動移動のときと同様に、カーソル１２がページの終わりに到達すると自動的に改ページがなされ、カーソル１２は次のページの先頭に表示される。
【００１７】
カーソル移動ボタン３６を指でタップすると、書籍表示部１からカーソル１２が消え、カーソル移動ボタン３６は薄く表示される。
次に指でタップすると、書籍表示部１に再びカーソル１２が現れ、カーソル移動ボタン３６は元の表示に戻る。これによりカーソル１２を表示したくない場合は任意にカーソル１２を消去できる。
【００１８】
ブックマークアイコン３５は、巻戻しボタン３２や早送りボタン３３を指でタップして手動で改ページしたときに表示される。これにより改ページする前にどこまで読んだのか記憶され、「しおり」が自動的にはさまれることになる。
改ページ後にブックマークアイコン３５を指でタップすると、「しおり」をはさんだ場所のページが速やか表示される。
これにより読書の途中でいったん改ページして他のページを参照し、再び元のページを開いて続きから読むような操作が容易にできるようになる。
【００１９】
図２に、本発明を実施した電子書籍ビューワのブロック図を示す。
電子書籍ビューワは、表示画面を制御する画面制御部４と、画面上の接触位置（タッチポイント）を定期的に検出して通知するパネル検知部５と、ＬＣＤ等で構成し書籍データなどの画像を表示する表示部６と、フラッシュメモリ等で構成し書籍データなどを記憶する記憶部７で構成し、処理制御部４にはＣＰＵ４１、ＲＯＭ４２、ＲＡＭ４３、ＶＲＡＭ４４を備える。
ＣＰＵ４１は、ＲＯＭ４２に格納されたプログラムを必要に応じて読み出し、ＲＡＭ４３に展開して実行することにより、パネル操作に応答して表示画面を切り替える。
また、記憶部７から書籍データをアクセスしてＶＲＡＭ４４に展開し、カーソル１２の描画処理を行った後、ＶＲＡＭ４４から表示部６に転送して書籍データを表示する。
【００２０】
ＣＰＵ４１は、カーソル移動ボタン３６の操作スピードやスピード調節バー３４の調節位置を検出してカーソル１２の移動スピードを計算し、移動スピードに応じて一定の時間間隔でカーソル１２の表示位置を変化させる。
また、ＶＲＡＭ４４を走査して文字の配列を検出し、文字の配列に沿ってカーソル１２の表示位置を変化させる。
【図面の簡単な説明】
【００２１】
【図１】本発明を実施した電子書籍ビューワの画面レイアウトである。
【図２】本発明を実施した電子書籍ビューワのブロック図である。
【図３】縦持ち・横持ちの違いによる表示方法の説明図である。
【図４】カーソル移動ボタンの操作方法の説明図である。
【符号の説明】
【００２２】
１      書籍表示部
１１    文書
１２    カーソル
２      ページ表示部
２１    ページバー
２２    ページ枠
２３    ページ枠
３      コントローラ
３１    再生／一時停止ボタン
３２    巻戻しボタン
３３    早送りボタン
３４    スピード調節バー
３５    ブックマークアイコン
３６    カーソル移動ボタン
４      画面制御部
４１    ＣＰＵ
４２    ＲＯＭ
４３    ＲＡＭ
４４    ＶＲＡＭ
５      パネル検知部
６      表示部
７      記憶部
ａ      ポイント
【図１】
2010009104.tif 000003
【図２】
2010009104.tif 000004
【図３】
2010009104.tif 000005
【図４】
2010009104.tif 000006